(57)【要約】【課題】  機能を変更した場合に新たな適合表示の印刷物をユーザに配布する必要のないソフトウェア無線端末を提供する。【解決手段】  ソフトウェア無線端末１０は、アンテナ１２を介して外部に対する無線信号の送受信を行ない、ダイヤル部１３からダイヤル操作等を行なう。認証表示部１５Ａ，１５Ｂは、技術基準適合試験に合格したことを示す物理的な表示を電子表示する。このように、認証表示部１５を電子表示とすることによって、ソフトウェア無線端末１０Ａに対して外部からデータを供給するだけで、ソフトウェア無線端末１０Ａの認証表示をソフトウェア無線端末１０Ｂのように変更することができる。【選択図】        図１
2005260671.tif 000002
【特許請求の範囲】
【請求項１】
ソフトウェアの入れ替えによって機能を変更することが可能なソフトウェア無線端末であって、
機能変更データおよび認証表示データを保持し、該機能変更データに応じて前記ソフトウェア無線端末の機能を変更するソフトウェア無線集積回路部と、
前記認証表示データを受けて、技術基準適合試験に合格したことを示す物理的な表示を電子表示する認証表示部とを備える、ソフトウェア無線端末。
【請求項２】
ソフトウェアの入れ替えによって機能を変更することが可能なソフトウェア無線端末であって、
外部からデータ信号を受ける入力部と、
前記データ信号を機能変更データと認証表示データとに分割するデータ分割回路と、
前記機能変更データを受けて、前記ソフトウェア無線端末の機能を変更するリコンフィギュラブル回路と、
前記認証表示データを受けて、技術基準適合試験に合格したことを示す物理的な表示を電子表示する認証表示部とを備える、ソフトウェア無線端末。
【請求項３】
前記認証表示部は、前記認証表示データが入力される信号入力端子を有し、該認証表示部の分解を試みると該認証表示部自体が破壊されるようにモールドされている、請求項１または２に記載のソフトウェア無線端末。
【請求項４】
前記ソフトウェア無線集積回路部は、
前記機能変更データおよび前記認証表示データを出力するコントローラ部と、
前記機能変更データを受けて、前記ソフトウェア無線端末の機能を変更するリコンフィギュラブル回路と、
前記認証表示データを拡散変調した拡散信号を出力する拡散変調部とを含み、
前記ソフトウェア無線端末は、前記拡散信号を前記認証表示データに復調して前記認証表示部に出力する拡散復調部をさらに備える、請求項１に記載のソフトウェア無線端末。
【請求項５】
前記ソフトウェア無線集積回路部は、
ノイズ信号を発生するノイズ信号発生回路と、
前記拡散信号と前記ノイズ信号とを結合して、該ノイズ信号が付加された前記拡散信号を出力する結合部とをさらに含む、請求項４に記載のソフトウェア無線端末。
【請求項６】
前記認証表示部は、技術基準適合試験に合格したことを示す物理的な表示を累積的に電子表示する、請求項１〜５のいずれかに記載のソフトウェア無線端末。
【請求項７】
前記認証表示部は、不揮発性表示デバイスである、請求項１〜５のいずれかに記載のソフトウェア無線端末。
【請求項８】
前記不揮発性表示デバイスは、記憶型液晶である、請求項７に記載のソフトウェア無線端末。
【請求項９】
前記不揮発性表示デバイスは、電子ペーパーである、請求項７に記載のソフトウェア無線端末。
【発明の詳細な説明】
【技術分野】
【０００１】
この発明は、ソフトウェア無線端末に関し、より特定的には、ソフトウェアの入れ替えで機能を変更することが可能なソフトウェア無線端末に関する。
【背景技術】
【０００２】
製品としての無線通信機を製造および販売するには、所定の認証機関から技術基準適合認証を受けなければならない。技術基準適合認証（以下、適合認証とも称する）とは、その製品が国等の定める技術基準および通信事業者の技術的要件に適合しているかどうかを検査し、基準を満たした製品を認証することをいう。この適合認証を受けるには、新しい製品ができる度に、その製品の一部サンプルまたはすべてを当該認証機関に持ち込んで、技術基準適合試験に合格することが必要である。
【０００３】
近年、ソフトウェア無線モジュールを変更するのみで無線通信機の機能を変更し、異なった通信システムに対応できるソフトウェア無線機（ソフトウェア無線端末）の開発が進んでいる。ソフトウェア無線端末は、一例として、利用する通信システムに対応したソフトウェア無線モジュールを必要に応じてダウンロードして使用する。
【０００４】
従来のソフトウェア無線機は、たとえば、車両に搭載されるソフトウェア無線機であって、使用するソフトウェア無線モジュールを切り替えることによって使用する通信システムを切り替えることができる通信システム切替手段などを備える。当該ソフトウェア無線機は、当該車両に装着されたままの状態で技術基準適合試験を受けることができる（特許文献１参照）。
【特許文献１】特開２００３−３３８７９９号公報
【発明の開示】
【発明が解決しようとする課題】
【０００５】
従来のソフトウェア無線機（ソフトウェア無線端末）は、技術基準適合試験に合格したことを示す物理的な表示（以下、適合表示とも称する）をたとえば印刷物の貼付によって行なっていた。しかしながら、ソフトウェア無線端末は、機能が随時入れ替わり、機能の追加もあり得る。ソフトウェア無線端末の機能を変更した場合、新たな適合表示の印刷物をユーザに配布する必要があるが、メーカがソフトウェア無線端末の全ユーザを把握することは事実上困難である。
【０００６】
それゆえに、この発明の目的は、機能を変更した場合に新たな適合表示の印刷物をユーザに配布する必要のないソフトウェア無線端末を提供することである。
【課題を解決するための手段】
【０００７】
この発明は、ソフトウェアの入れ替えによって機能を変更することが可能なソフトウェア無線端末であって、機能変更データおよび認証表示データを保持し、その機能変更データに応じてソフトウェア無線端末の機能を変更するソフトウェア無線集積回路部と、認証表示データを受けて、技術基準適合試験に合格したことを示す物理的な表示を電子表示する認証表示部とを備える。
【０００８】
この発明の他の局面によれば、ソフトウェアの入れ替えによって機能を変更することが可能なソフトウェア無線端末であって、外部からデータ信号を受ける入力部と、データ信号を機能変更データと認証表示データとに分割するデータ分割回路と、機能変更データを受けて、ソフトウェア無線端末の機能を変更するリコンフィギュラブル回路と、認証表示データを受けて、技術基準適合試験に合格したことを示す物理的な表示を電子表示する認証表示部とを備える。
【０００９】
好ましくは、認証表示部は、認証表示データが入力される信号入力端子を有し、認証表示部の分解を試みるとその認証表示部自体が破壊されるようにモールドされている。
【００１０】
好ましくは、ソフトウェア無線集積回路部は、機能変更データおよび認証表示データを出力するコントローラ部と、機能変更データを受けて、ソフトウェア無線端末の機能を変更するリコンフィギュラブル回路と、認証表示データを拡散変調した拡散信号を出力する拡散変調部とを含む。ソフトウェア無線端末は、拡散信号を認証表示データに復調して認証表示部に出力する拡散復調部をさらに備える。
【００１１】
好ましくは、ソフトウェア無線集積回路部は、ノイズ信号を発生するノイズ信号発生回路と、拡散信号とノイズ信号とを結合して、そのノイズ信号が付加された拡散信号を出力する結合部とをさらに含む。
【００１２】
好ましくは、認証表示部は、技術基準適合試験に合格したことを示す物理的な表示を累積的に電子表示する。
【００１３】
好ましくは、認証表示部は、不揮発性表示デバイスである。
【００１４】
好ましくは、不揮発性表示デバイスは、記憶型液晶である。
【００１５】
好ましくは、不揮発性表示デバイスは、電子ペーパーである。
【発明の効果】
【００１６】
この発明によれば、機能を変更した場合に新たな適合表示の印刷物をユーザに配布する必要がなくなる。
【発明を実施するための最良の形態】
【００１７】
以下、この発明の実施の形態について図面を参照して詳しく説明する。なお、図中同一または相当部分には同一符号を付してその説明は繰り返さない。
【００１８】
［実施の形態１］
図１は、この発明の実施の形態１によるソフトウェア無線端末１０の模式的な構成を示した模式図である。
【００１９】
図１を参照して、実施の形態１のソフトウェア無線端末１０は、アンテナ１２と、ダイヤル部１３と、認証表示部１５とを備える。図１では、ソフトウェア無線端末１０を、ある状態の認証表示部１５Ａを有するソフトウェア無線端末１０Ａと、他の状態の認証表示部１５Ｂを有するソフトウェア無線端末１０Ｂとに分けて記載している。
【００２０】
ソフトウェア無線端末１０は、アンテナ１２を介して外部に対するデータ信号の送受信を行ない、ダイヤル部１３からダイヤル操作等を行なう。認証表示部１５Ａ，１５Ｂは、アンテナ１２から受信されるデータ信号の中から認証表示データを取り出し、技術基準適合試験に合格したことを示す物理的な表示を電子表示する。
【００２１】
認証表示部１５Ａは、ＣＤＭＡ（Code Division Multiple Access）の認証を受けていることを示す。認証表示部１５Ｂは、ＧＳＭ（Global System for Mobile communication）の認証を受けていることを示す。
【００２２】
このように、認証表示部１５を電子表示とすることによって、ソフトウェア無線端末１０Ａに対して外部からデータを供給するだけで、ソフトウェア無線端末１０Ａの認証表示をソフトウェア無線端末１０Ｂのように変更することができる。
【００２３】
図２は、この発明の実施の形態１の変形例であるソフトウェア無線端末１１の模式的な構成を示した模式図である。
【００２４】
図２を参照して、実施の形態１のソフトウェア無線端末１１は、アンテナ１２と、ダイヤル部１３と、認証表示部１６とを備える。図２では、ソフトウェア無線端末１１を、ある状態の認証表示部１６Ａを有するソフトウェア無線端末１１Ａと、他の状態の認証表示部１６Ｂを有するソフトウェア無線端末１１Ｂとに分けて記載している。
【００２５】
認証表示部１６Ａは、ＣＤＭＡの認証を受けていることを示す。認証表示部１６Ｂは、ＣＤＭＡの認証に加えてＧＳＭの認証も受けていることを示す。つまり、図２のソフトウェア無線端末１１は、技術基準適合試験に合格したことを示す物理的な表示を累積的に電子表示する点で、図１のソフトウェア無線端末１０と異なる。
【００２６】
このように、認証表示部１６を累積的な電子表示とすることによって、ソフトウェア無線端末１１Ａに対して外部からデータを供給するだけで、ソフトウェア無線端末１１Ａの認証表示をソフトウェア無線端末１１Ｂのように累積的に変更することができる。これにより、ソフトウェア無線端末１１がどの機能について適合認証を受けているのかを一目で知ることができる。
【００２７】
ソフトウェア無線端末１０，１１の認証表示が通常の電子表示の場合、電源オフ時には当該電子表示が消えてしまう。そのため、ソフトウェア無線端末１０，１１の電源オフ時には、その端末が適合認証を受けたものかどうか分からなくなる可能性がある。これに対しては、電源をオフにしてもオン時の表示をそのまま維持することが可能な不揮発性表示デバイスを用いることによって解決できる。不揮発性表示デバイスには、たとえば、記憶型液晶や電子ペーパーなどがある。
【００２８】
記憶型液晶とは、コレステリック液晶という種類の液晶であり、双安定性という性質を有する。双安定性とは、画面の光を通す（フォーカルコニック）状態と、特定の光だけを反射する（プレーナ）状態とのどちらの状態でも電力を加えずにそのまま安定する性質のことをいう。この双安定性により、記憶型液晶では、一度画面に文字や絵を描くと、電力を与えなくても当該表示を維持することが可能である。
【００２９】
電子ペーパーとは、紙の長所である読みやすさや携帯性を保ったまま、コンピュータのディスプレイのように自由に中身を書き替えられるようにした表示媒体である。電気泳動型マイクロカプセル方式の電子ペーパーは、紙のように見やすく、表示された画像の保持に電力が不要である。そのため、超低消費電力を実現でき、薄型軽量で柔軟性に富むという性質を有する。
【００３０】
このように、認証表示部１５，１６に不揮発性表示デバイスを用いることによって、外部からデータ供給により認証表示を電子的に変更できるとともに、簡易な構成で、かつ電力消費なしあるいは極めて低い消費電力で、電源オフ時にも電源オン時の認証表示を引き続き表示することができる。
【００３１】
以上のように、実施の形態１によれば、認証表示を電子表示とすることによって、ソフトウェア無線端末に対して外部からデータを供給するだけで、ソフトウェア無線端末の認証表示を変更することができる。また、認証表示を累積的に電子表示することによって、ソフトウェア無線端末がどの機能について適合認証を受けているのかを一目で知ることができる。
【００３２】
さらに、認証表示を不揮発性表示デバイスを用いた電子表示とすることによって、認証表示を電子的に変更できるとともに、電源オフ時にも電源オン時の認証表示を引き続き表示することができる。
【００３３】
また、各機能を個別に表示することにより、ソフトウェア無線端末が現状どの機能になっているのかを一目で知ることができる。さらに、認証表示の累積表示時に、現状のソフトウェア無線端末の機能を反転表示等して他の機能とは異なった表示方法とすることにより、ソフトウェア無線端末が現状どの機能になっているのかを一目で知ることができる。
【００３４】
［実施の形態２］
実施の形態１のソフトウェア無線端末１０，１１において、認証表示を電子表示するために外部から実際にデータを供給する手段としては、（１）携帯用メモリで供給する、（２）放送または無線によりデータを供給する、（３）ポータルサイトを設けてそこからダウンロードする、などが考えられる。
【００３５】
ソフトウェア無線端末の機能を変更するには、上述のような手段を用いて、外部からデータを供給する場合が多い。以下では、機能変更と認証表示とを１回のデータ送信で処理することが可能なソフトウェア無線端末について説明する。
【００３６】
図３は、この発明の実施の形態２によるソフトウェア無線端末２０の概略的なブロック構成を示した概略ブロック図である。
【００３７】
図３を参照して、ソフトウェア無線端末２０は、アンテナ２１と、データ分割回路２２と、リコンフィギュラブル回路２３と、メモリ２４と、認証表示部２５とを備える。アンテナ２１は、外部からのデータ信号ＲＤＡＴを受信して、データ分割回路２２に送る。データ分割回路２２は、アンテナ２１の入力端子の他にも、たとえば携帯メモリ端子ＰＭやインターネット入力端子ＩＰ等を有し、これらの入力端子からもデータ信号ＲＤＡＴを受けることができる。データ分割回路２２は、データ信号ＲＤＡＴを機能変更データＣＨＤと認証表示データＲＣＤとに分割する。
【００３８】
図４は、データ信号ＲＤＡＴの信号構成の一例を示した模式図である。
【００３９】
図４を参照して、データ信号ＲＤＡＴは、機能変更データＣＨＤと、認証表示データＲＣＤとを含む。機能変更データＣＨＤと認証表示データＲＣＤとは１対１に対応しているため、１つのデータ信号ＲＤＡＴで同時に送信することが可能である。
【００４０】
このように、機能変更データＣＨＤと認証表示データＲＣＤとを１つのデータ信号ＲＤＡＴで送出することによって、ソフトウェア無線端末２０の機能変更と認証表示とを１回のデータ送信で処理することができる。なお、機能変更データＣＨＤと認証表示データＲＣＤとの時間的な配列は入れ替えてもよく、また、他のデータ要素を追加してもよい。
【００４１】
図３に戻って、リコンフィギュラブル回路２３は、機能変更データＣＨＤを受けて、ソフトウェア無線端末２０の機能を変更する。リコンフィギュラブル回路２３は、ＦＰＧＡ（Field Programmable Gate Array）やＤＳＰ（Digital Signal Processor）などから構成される。リコンフィギュラブル回路２３は、必要なアルゴリズムをハードウェア回路の組み替えで構成することによって、多様なアルゴリズムに対応することが可能な低消費電力のデバイスである。
【００４２】
メモリ２４は、認証表示データＲＣＤを記憶するとともに、それを認証表示部２５へ送る。メモリ２４は、すでに記憶している認証表示データを新たに記憶しないようにしてもよい。
【００４３】
認証表示部２５は、認証表示データＲＣＤを受けて、技術基準適合試験に合格したことを示す物理的な表示を電子表示する。認証表示部２５の認証表示は、実施の形態１において説明したように、累積的な電子表示としてもよいし、不揮発性表示デバイスを用いた電子表示としてもよい。
【００４４】
以上のように、実施の形態２によれば、機能変更データＣＨＤと認証表示データＲＣＤとを１つのデータ信号ＲＤＡＴで送出することによって、ソフトウェア無線端末の機能変更と認証表示とを１回のデータ送信で処理することができる。
【００４５】
なお、最初からソフトウェア無線端末に所定の機能がインストールされている場合、外部からの信号供給によらず、ＲＯＭ（Read Only Memory）等の不揮発性メモリを用いて、機能変更データおよび認証表示データが予め保持されている場合もある。図３で説明すると、リコンフィギュラブル回路２３に機能変更データＣＨＤ、メモリ２４に認証表示データＲＣＤがそれぞれ最初から組み込まれている場合もある。
【００４６】
［実施の形態３］
ソフトウェア無線端末の認証表示を電子表示とすることにより、当該認証表示データが外部から観測されて他の無線端末等に盗用される可能性がある。外部から供給されるデータ信号については、デジタル方式の暗号化技術がかなり進んでいるため、他から傍受される可能性は極めて低い。
【００４７】
これに対し、ソフトウェア無線端末の認証表示を行なう認証表示部のほとんどは、各画素に対応する素子に電圧等のエネルギーを与えることによって認証表示を行なう。そのため、認証表示部がたとえば電圧駆動の表示デバイスであった場合、端子等から駆動電圧を観測することによって、外部から容易に認証表示データが観測される可能性がある。以下では、外部から容易に認証表示データを観測されることのないソフトウェア無線端末について説明する。
【００４８】
図５は、この発明の実施の形態３の一例であるソフトウェア無線端末３０を模式的に示した模式図である。
【００４９】
図５を参照して、実施の形態３のソフトウェア無線端末３０は、少なくとも認証表示部３１を備える。ソフトウェア無線端末３０は、たとえば、実施の形態２の図３に示したソフトウェア無線端末２０のようなブロック構成を有する。
【００５０】
認証表示部３１は、技術基準適合試験に合格したことを示す物理的な表示を電子表示する。認証表示部３１の認証表示は、実施の形態１において説明したように、累積的な電子表示としてもよいし、不揮発性表示デバイスを用いた電子表示としてもよい。
【００５１】
さらに、認証表示部３１は、外部が樹脂等でモールドされており、必要最低限の信号入力端子ＴＭＬのみが外部に出ている。信号入力端子ＴＭＬからは、認証表示データＲＣＤが入力される。認証表示部３１のモールドは、認証表示部３１の分解を試みると認証表示部３１自体が破壊される程度に強固なものとする。これにより、信号入力端子ＴＭＬ以外から認証表示データＲＣＤを観測することは事実上不可能となる。
【００５２】
しかしながら、ソフトウェア無線端末３０の場合、認証表示部３１から出ている信号入力端子ＴＭＬを介して認証表示データＲＣＤが観測される可能性がまだ残っている。
【００５３】
図６は、認証表示部３１の信号入力端子ＴＭＬから入力される認証表示データＲＣＤの波形等を示した図である。
【００５４】
図６（Ａ）は、模式的に示した認証表示部３１と認証表示データＲＣＤとの関係を示した図である。図６（Ａ）に示すように、認証表示部３１のハッチングを施した部分が、認証表示データＲＣＤの「１」に対応し、それ以外が「０」に対応する。
【００５５】
図６（Ｂ）は、図６（Ａ）の認証表示データＲＣＤを「０」，「１」のデジタルデータとして表わした図である。
【００５６】
図６（Ｃ）は、図６（Ａ）の認証表示データＲＣＤを信号波形として示した図である。図６（Ｃ）に示すように、時刻ｔ１〜ｔ２において同期ワードＳＹＮＷＤが送出される。時刻ｔ２〜ｔ３において「１」の信号が送出され、時刻ｔ３〜ｔ４において「０」の信号が送出される。以降も同様に「１」，「０」の信号が送出される。
【００５７】
図６に示すように、認証表示データＲＣＤをシリアル伝送する場合、認証表示部３１での走査方向に沿って「０」，「１」が定まる。したがって、認証表示データＲＣＤを外部から観測することができれば、それをもとに認証表示が推定される可能がある。
【００５８】
もちろん、認証表示データＲＣＤを暗号化することは可能である。しかし、認証表示データＲＣＤの情報量は比較的少なく、また、消費電力の観点から、認証表示部３１に常時データが入力されるわけでもない。
【００５９】
したがって、認証表示部３１にデータが入力されたことが観測され、しかもその内容が読み取られると、たとえ認証表示データＲＣＤが暗号化されていたとしても、それが解読される可能性がある。そこで、認証表示データＲＣＤの伝送自体を秘匿化することが必要となる。
【００６０】
図７は、この発明の実施の形態３の他の例であるソフトウェア無線端末４０の概略的なブロック構成を示した概略ブロック図である。
【００６１】
図７を参照して、ソフトウェア無線端末４０は、ソフトウェア無線ＬＳＩ（Large Scale Integration）部５０と、認証表示処理部６０とを備える。ソフトウェア無線ＬＳＩ部５０は、コントローラ５１と、リコンフィギュラブル回路５２と、メモリ５３と、スペクトラム拡散変調部５４と、ノイズ発生回路５５と、結合部５６とを含む。
【００６２】
コントローラ５１は、図示しないアンテナ部を介して外部からデータ信号ＲＤＡＴを受け、機能変更データＣＨＤおよび認証表示データＲＣＤを出力する。すなわち、コントローラ５１は、実施の形態２の図３に示したデータ分割回路２２の機能を含む。また、コントローラ５１は、ノイズ発生回路５５に対してノイズ発生制御信号ＮＧＳを出力する。
【００６３】
リコンフィギュラブル回路５２は、機能変更データＣＨＤを受けて、ソフトウェア無線端末４０の機能を変更する。メモリ５３は、認証表示データＲＣＤを記憶するとともに、それをスペクトラム拡散変調部５４へ送る。スペクトラム拡散変調部５４は、メモリ５３から送出される認証表示データＲＣＤをスペクトラム拡散変調し、スペクトラム拡散信号ＭＤＬを出力する。ノイズ発生回路５５は、ノイズ発生制御信号ＮＧＳを受けて、ノイズ信号ＮＳを発生する。結合部５６は、スペクトラム拡散信号ＭＤＬとノイズ信号ＮＳとを結合し、ノイズ信号ＮＳが付加されたスペクトラム拡散信号ＭＤＬＸを出力する。
【００６４】
認証表示処理部６０は、スペクトラム拡散復調部６１と、認証表示部６２とを含む。スペクトラム拡散復調部６１は、ノイズが付加されたスペクトラム拡散信号ＭＤＬＸをスペクトラム拡散復調し、復調された認証表示データＲＣＤを認証表示部６２に出力する。認証表示部６２は、復調された認証表示データＲＣＤを受けて、技術基準適合試験に合格したことを示す物理的な表示を電子表示する。認証表示部２５の認証表示は、実施の形態１において説明したように、累積的な電子表示としてもよいし、不揮発性表示デバイスを用いた電子表示としてもよい。
【００６５】
図８は、スペクトラム拡散変調されたスペクトラム拡散信号ＭＤＬおよび付加されるノイズ信号ＮＳの信号レベルを示した図である。
【００６６】
図８に示すように、スペクトラム拡散変調されたスペクトラム拡散信号ＭＤＬの信号レベルは、全周波数帯に広く拡散される。そのため、スペクトラム拡散信号ＭＤＬの信号レベルは、付加されるノイズ信号ＮＳの信号レベルよりも全周波数帯において常に低くなる。つまり、スペクトラム拡散信号ＭＤＬはノイズ信号ＮＳに埋もれた状態となる。そのため、図７のソフトウェア無線ＬＳＩ部５０と認証表示処理部６０との間からスペクトラム拡散信号ＭＤＬのデータ入力の有無を観測することは事実上不可能となる。
【００６７】
図９は、スペクトラム拡散復調された認証表示データＲＣＤおよび付加されていたノイズ信号ＮＳの信号レベルを示した図である。
【００６８】
図９に示すように、復調された認証表示データＲＣＤは、周波数Ｆｃの復調コード近辺において、信号レベルがノイズ信号ＮＳを超えて増大する。したがって、図７の認証表示部６２は、復調された認証表示データＲＣＤを認識することができる。
【００６９】
図７のソフトウェア無線端末４０では、ノイズ発生源としてノイズ発生回路５５を用いた。しかし、常時ノイズ信号ＮＳを発生していると、消費電力の点で問題がある。このような問題を解決するソフトウェア無線端末について次に説明する。
【００７０】
図１０は、この発明の実施の形態３の他の例の変形例であるソフトウェア無線端末４０Ａのの概略的なブロック構成を示した概略ブロック図である。
【００７１】
図１０を参照して、ソフトウェア無線端末４０Ａは、ソフトウェア無線ＬＳＩ部５０がソフトウェア無線ＬＳＩ部５０Ａに置き換えられた点においてのみ、図７のソフトウェア無線端末４０と異なる。したがって、図７と重複する部分の説明は、ここでは繰り返さない。ソフトウェア無線ＬＳＩ部５０Ａは、ノイズ発生回路５５および結合部５６が取り除かれた点においてのみ、図７のソフトウェア無線ＬＳＩ部５０と異なる。
【００７２】
ソフトウェア無線ＬＳＩ部５０Ａ等の回路が動作していると、その内部および周辺には必ずノイズ信号が発生している。そのため、図７のソフトウェア無線ＬＳＩ部５０のようにノイズ発生回路５５でノイズ信号ＮＳを発生させなくても、スペクトラム拡散信号ＭＤＬには自然にノイズ信号ＮＳ０が付加する。
【００７３】
したがって、ノイズ発生回路５５および結合部５６を取り除いてもソフトウェア無線ＬＳＩ部を構成することは可能である。ノイズ発生回路５５および結合部５６を取り除くことによって、回路面積の削減および低消費電力化が可能となる。
【００７４】
以上のように、実施の形態３によれば、認証表示部の外部を樹脂等でモールドすることによって、外部から認証表示データを観測することを困難にすることができる。また、スペクトラム拡散方式を用いて認証表示データＲＣＤの伝送自体を秘匿化することによって、外部から認証表示データを観測することを事実上不可能とすることができる。
【００７５】
さらに、ソフトウェア無線ＬＳＩ部からノイズ発生回路および結合部を取り除くことによって、外部からの認証表示データ観測が事実上不可能になるとともに、回路面積の削減および低消費電力化が可能となる。
【００７６】
なお、実施の形態３ではスペクトラム拡散方式を用いて説明したが、スペクトラム拡散以外の拡散方式、たとえばＵＷＢ（UltraWideBand）方式を用いてもよい。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７８】
【図１】この発明の実施の形態１によるソフトウェア無線端末１０の模式的な構成を示した模式図である。
【図２】この発明の実施の形態１の変形例であるソフトウェア無線端末１１の模式的な構成を示した模式図である。
【図３】この発明の実施の形態２によるソフトウェア無線端末２０の概略的なブロック構成を示した概略ブロック図である。
【図４】データ信号ＲＤＡＴの信号構成の一例を示した模式図である。
【図５】この発明の実施の形態３の一例であるソフトウェア無線端末３０を模式的に示した模式図である。
【図６】認証表示部３１の信号入力端子ＴＭＬから入力される認証表示データＲＣＤの波形等を示した図である。
【図７】この発明の実施の形態３の他の例であるソフトウェア無線端末４０の概略的なブロック構成を示した概略ブロック図である。
【図８】スペクトラム拡散変調されたスペクトラム拡散信号ＭＤＬおよび付加されるノイズ信号ＮＳの信号レベルを示した図である。
【図９】スペクトラム拡散復調された認証表示データＲＣＤおよび付加されていたノイズ信号ＮＳの信号レベルを示した図である。
【図１０】この発明の実施の形態３の他の例の変形例であるソフトウェア無線端末４０Ａのの概略的なブロック構成を示した概略ブロック図である。
【符号の説明】
【００７９】
１０，２０，３０，４０，４０Ａ  ソフトウェア無線端末、１２，２１  アンテナ、１３  ダイヤル部、１５，１６，２５，３１，６２  認証表示部、２２  データ分割回路、２３  リコンフィギュラブル回路、２４，５３  メモリ、５０，５０Ａ  ソフトウェア無線ＬＳＩ部、５１  コントローラ、５２  リコンフィギュラブル回路、５４  スペクトラム拡散変調部、５５  ノイズ発生回路、５６  結合部、６０  認証表示処理部、６１  スペクトラム拡散復調部。
【図１】
2005260671.tif 000003
【図２】
2005260671.tif 000004
【図３】
2005260671.tif 000005
【図４】
2005260671.tif 000006
【図５】
2005260671.tif 000007
【図６】
2005260671.tif 000008
【図７】
2005260671.tif 000009
【図８】
2005260671.tif 000010
【図９】
2005260671.tif 000011
【図１０】
2005260671.tif 000012